(57)【要約】【課題】包装方法が簡単で、内容物の確認ができるとともに、金型を用いることなく製造できる巻尺の展示用ケースを提供する。【解決手段】展示用ケース２１は、透明の樹脂シートを折り曲げて、一端側を他端側に接合して作製される。中間部の上方から仕切り板が垂下されている。両側部が開放されているから、全体が筒体形状となっている。展示用ケースの左右の開口のいずれかから、巻尺携帯保持具１に取り付けられた巻尺を挿入する。巻尺携帯保持具１と巻尺１２との間に仕切り板２４が入り込む。仕切り板を設けたことによって、巻尺収納後の展示用ケースの型くずれを抑えることができる。全体が透明であることにより、巻尺携帯保持具が付属されていることを外部から認識できる。【選択図】  図２
2004236753.tif 000002
【特許請求の範囲】
【請求項１】
前面に設けられ巻尺のベルトフックを係合する係止壁と、該係止壁に係止された巻尺のベルトフックの上部の位置に臨出可能に設けられた脱落防止用の爪と、側方に設けられ作業ベルトを挿通する挿通孔を有する巻尺携帯保持具に取り付けられた巻尺を収納するための展示用ケースであって、透光性を有する可撓性の樹脂シートを折り曲げて略筒体形状に形成され、該略筒体形状は、内部の空間が、巻尺携帯保持具部分を収納する断面が略長方形形状の空間部分と、上部が該空間部分と段差をもって下がって位置された巻尺部分を収納する断面が略長方形形状の空間部分とを構成する形状であり、かつ、前記巻尺携帯保持具部分を収納する空間部分と前記巻尺部分を収納する空間部分との間の上方に仕切り板を有することを特徴とする巻尺の展示用ケース。
【請求項２】
巻尺携帯保持具部分を収納する空間部分の上部の前後の壁の、前記巻尺携帯保持具の上部に設けられた吊り下げ用の小孔と対応する位置に吊り下げ用の小孔が形成されたことを特徴とする請求項１に記載の巻尺の展示用ケース。
【請求項３】
前記巻尺携帯保持具部分を収納する空間部分の後壁に、前記巻尺携帯保持具を係止する舌片が形成されていることを特徴とする請求項１または２に記載の巻尺の展示用ケース。
【請求項４】
前面に設けられ巻尺のベルトフックを係合する係止壁と、該係止壁に係止された巻尺のベルトフックの上部の位置に臨出可能に設けられた脱落防止用の爪と、側方に設けられ作業ベルトを挿通する挿通孔を有する巻尺携帯保持具に取り付けられた巻尺であって、請求項１ないし３のいずれか１項に記載の巻尺の展示用ケースに収納されたことを特徴とする巻尺。
【請求項５】
前記巻尺は、その底面が前記巻尺携帯保持具の底面より低い位置となるように前記巻尺携帯保持具に取り付けられていることを特徴とする請求項４に記載の巻尺。
【請求項６】
透光性を有する可撓性の樹脂シートをパンチで打ち抜き、折り曲げた後、一端側を他端側に接合して筒体形状とすることを特徴とする請求項１ないし３のいずれか１項に記載の巻尺の展示用ケースの製造方法。
【発明の詳細な説明】
【０００１】
【発明の属する技術分野】
本発明は、巻尺の展示用ケース、特に、巻尺携帯保持具に取り付けた状態の巻尺を収容する展示用ケース、および、その製造方法、ならびに、展示用ケースに収納された巻尺に関するものである。
【従来の技術】
【０００２】
自立性の測定用テープを用いた巻尺は、コンベックスルールと呼ばれ、金属板、織布、プラスチック材などを芯材とし、この芯材を断面が凸状になるように成形し、目盛りと塗装が施されたものであり、自動巻の収納ケースに巻き取られるのが普通である。自動巻の巻取装置には、駆動バネにより付勢された巻取ドラムが用いられる。巻取ドラムに巻かれた測定用テープを引き出すときに駆動バネが蓄勢され、その蓄勢力によって引き出した測定用テープを自動的に巻き取られるのである。
【０００３】
このような自動巻の巻尺は、従来一般に市販されているが、大部分の製品は、収納ケースに作業者自身のベルトの着脱できるベルトフックが装填されている。このベルトフックで、作業ベルトに掛けた場合、脱落しやすく、高所の作業において、作業ベルトから巻尺が落下した場合には、下方で作業する作業員への危険を伴うという問題がある。
【０００４】
この問題に対処して、特許文献１に記載されているような巻尺携帯保持具を提案した。特許文献１に記載された巻尺携帯保持具は、前面に設けられ巻尺のベルトフックを係合する係止壁と、該係止壁に係止された巻尺のベルトフックの上部の位置に臨出可能に設けられた脱落防止用の爪と、側方に設けられ作業ベルトを挿通する挿通孔を有するものである。
【０００５】
店頭等において巻尺を展示する場合に、巻尺携帯保持具に取り付けた状態の巻尺を展示すると、商品価値も高くなり、巻尺携帯保持具の使用方法も理解できるという利点がある。さらに、巻尺だけを展示台に並べて展示すると、自立しにくく、自立できたとしても直立状態で自立するから、陳列効果のよい傾斜立てを行なうことはできない。
【０００６】
展示形態として、巻尺と巻尺携帯保持具との間に台紙を挟む方法を採用したが、正面から見ると、巻尺携帯保持具が見えないという問題がある。また、巻尺が露出しているから、商品が汚れたり、傷が付きやすいという問題もある。
【０００７】
透明な樹脂を用いた成形体の中に納める方法、例えば、特許文献２に記載されているようなブリスターパックに収納して裏側に台紙を挟み込む方法は、全体が大きくなるとともに、ブリスターパックを成形するための金型が必要となり、高価となるという問題がある。シェルパックで包装する方法は、ブリスターパックを用いる方法よりも小型化が図れるが、パックを成形するための金型が必要となることは避けられず、高価となるという問題がある。
【０００８】
【特許文献１】
特開平１０−２９１５４０号公報
【特許文献２】
特開平９−２２９６０２号公報
【０００９】
【発明が解決しようとする課題】
本発明は、上述した事情に鑑みてなされたもので、包装方法が簡単で、内容物の確認ができるとともに、金型を用いることなく製造でき、陳列効果を上げる傾斜立ちも可能な巻尺の展示用ケースおよび、その製造方法、ならびに、展示用ケースに収納された巻尺を提供することを目的とするものである。
【００１０】
【課題を解決するための手段】
請求項１に記載の発明は、前面に設けられ巻尺のベルトフックを係合する係止壁と、該係止壁に係止された巻尺のベルトフックの上部の位置に臨出可能に設けられた脱落防止用の爪と、側方に設けられ作業ベルトを挿通する挿通孔を有する巻尺携帯保持具に取り付けられた巻尺を収納するための展示用ケースであって、透光性を有する可撓性の樹脂シートを折り曲げて略筒体形状に形成され、該略筒体形状は、内部の空間が、巻尺携帯保持具部分を収納する断面が略長方形形状の空間部分と、上部が該空間部分と段差をもって下がって位置された巻尺部分を収納する断面が略長方形形状の空間部分とを構成する形状であり、かつ、前記巻尺携帯保持具部分を収納する空間部分と前記巻尺部分を収納する空間部分との間の上方に仕切り板を有することを特徴とするものである。
【００１１】
請求項２に記載の発明は、請求項１に記載の巻尺の展示用ケースにおいて、巻尺携帯保持具部分を収納する空間部分の上部の前後の壁の、前記巻尺携帯保持具の上部に設けられた吊り下げ用の小孔と対応する位置に吊り下げ用の小孔が形成されたことを特徴とするものである。
【００１２】
請求項３に記載の発明は、請求項１または２に記載の巻尺の展示用ケースにおいて、前記巻尺携帯保持具部分を収納する空間部分の後壁に、前記巻尺携帯保持具を係止する舌片が形成されていることを特徴とするものである。
【００１３】
請求項４に記載の発明は、前面に設けられ巻尺のベルトフックを係合する係止壁と、該係止壁に係止された巻尺のベルトフックの上部の位置に臨出可能に設けられた脱落防止用の爪と、側方に設けられ作業ベルトを挿通する挿通孔を有する巻尺携帯保持具に取り付けられた巻尺であって、請求項１ないし３のいずれか１項に記載の巻尺の展示用ケースに収納されたことを特徴とするものである。
【００１４】
請求項５に記載の発明は、請求項４に記載の巻尺において、前記巻尺は、その底面が前記巻尺携帯保持具の底面より低い位置となるように前記巻尺携帯保持具に取り付けられていることを特徴とするものである。
【００１５】
請求項６に記載の発明は、請求項１ないし３のいずれか１項に記載の巻尺の展示用ケースの製造方法において、透光性を有する可撓性の樹脂シートをパンチで打ち抜き、折り曲げた後、一端側を他端側に接合して筒体形状とすることを特徴とするものである。
【００１６】
【発明の実施の形態】
先ず、本発明の実施の形態の一例に用いられる巻尺携帯保持具について図１０，図１１で説明する。図１０は斜視図、図１１（Ａ）は正面図、図１１（Ｂ）は側面図、図１１（Ｃ）は背面図、図１１（Ｄ）は図１１（Ａ）のＤ−Ｄ線断面図、図１１（Ｅ）は上面図、図１１（Ｆ）は図１１（Ａ）のＦ−Ｆ線断面図である。図中、１は巻尺携帯保持具、２は上部壁、３は下部壁、４は前部壁、５は後部壁、６は脱落防止爪、６ａはテーパー部、７は小孔、８は案内壁、９は係止壁、１０はベルト挿通孔、１１は作業ベルトである。
【００１７】
巻尺携帯保持具１の前面には、上部壁２の中央部から脱落防止爪６が下方に延びるように形成されている。脱落防止爪６の上方には、小孔７が設けられている。脱落防止爪６には、下方に行くほど前方に出るようなテーパー部６ａが形成されている。この実施の形態では、テーパー部６ａは、図１１（Ｃ）の断面図から分かるように、下方に行くほど脱落防止爪６の厚みが増加するようにして形成されているが、脱落防止爪６の厚みを増加させなくてもよく、脱落防止爪６をほぼ一様な厚さにし、下方を前方に向けて曲げるようにしてテーパー部を形成するようにしてもよい。しかし、必ずしもテーパー部を設ける必要はない。脱落防止爪６は、弾性が与えられるように、上部壁２に取り付けられるが、この実施の形態では、弾性を有する樹脂を材料として用いて、脱落防止爪６に弾性を付与している。
【００１８】
この脱落防止爪６の両側を囲むようにして、案内壁８が前部壁４から突き出るように形成されており、案内壁８の下方には、両側の案内壁８を連結するような形状で、係止壁９が設けられている。係止壁９は、脱落防止爪６の下方の空間部に位置しているが、係止壁９の上部と脱落防止爪６の下部との間には、ベルトフックを受容できる隙間が形成できるように係止壁９が設けられている。
【００１９】
巻尺携帯保持具１の側方には、前部壁４と後部壁５との間にベルト挿通孔１０が、形成されており、仮想線で図示したように、作業者の腰に巻かれた作業ベルト１１に挿通されるようにして、巻尺携帯保持具１が、作業者の体に取り付けられる。前部壁４の下部と後部壁５の下部とは、下部壁３で連結されている。このように、作業者の動作に邪魔にならないようにベルトの挿入孔が形成され、また、巻尺のベルトクリップを挿入する係止壁とで主要部分が構成されることにより、強度的な考慮をした必要最小限度の大きさとすることができる。後部壁５は、両側に設けられているが、中央部にも設けてもよく、また、中央部のみに設けてもよく、あるいは、後部の全面に設けられてもよい。
【００２０】
この実施の形態では、上部壁２，下部壁３，前部壁４，後部壁５，脱落防止爪６，案内壁８，係止壁９を一体的に構成した。これらを構成する材料としては、弾性を有する合成樹脂で、一体成形したが、適当な部材で分割して形成し、一体的に連結するようにしてもよい。このように、各部を適宜に分割して構成した場合においては、少なくとも、脱落防止爪６には、弾性が付与できる材料を用いるようにする。巻尺の着脱時に、弾性を利用して落下防止用の爪が出し入れできることによって、簡単に片手で着脱ができる利点がある。また、作業者の動作による脱落を確実に防止できる。
【００２１】
小孔７は、巻尺携帯保持具１を貫通するように設けられているから、作業ベルト１１から外した巻尺携帯保持具１を壁等に取り付けたフックや釘に掛けておくことができる。小孔７を上部に設けることにより、後述するように、巻尺携帯保持具１に巻尺を装填した状態のままでも巻尺携帯保持具１を壁等に吊り下げることができる。この小孔７は、巻尺携帯保持具１を取り付けた巻尺を商品とする場合に、吊り下げて展示するための小孔としても利用できるが、なくてもよい。
【００２２】
図１２は、ベルトフックが設けられた巻尺の斜視図である。図中、１２は巻尺、１３はベルトフックである。巻尺１２のケースは合成樹脂で形成されるのが普通であり、ベルトフック１３は、ステンレス等の弾性を有する金属板で形成されるのが普通である。
【００２３】
図１３は、上述した巻尺携帯保持具に巻尺を装填した場合の斜視図であり、図１４は巻尺の係止状態の説明図である。巻尺携帯保持具１は断面図で図示し、巻尺１２は、側面図で図示している。図中、図１０〜図１２と同じ部分には同じ符号を付して説明を省略する。
【００２４】
まず、巻尺携帯保持具１に巻尺１２を装填する場合を説明する。図１０で説明したように、巻尺携帯保持具１は、ベルトに挿通されて作業者の体に取り付けられている。巻尺１２のベルトフック１３を巻尺携帯保持具１側に向くようにして、ベルトフック１３の先端を脱落防止爪６に押し付けながら、巻尺を下方に移動させるようにする。このとき、案内壁８が設けられていることにより、ベルトフック１３の先端の位置決めが容易となる。巻尺の下方への移動によって、ベルトフック１３の先端は、脱落防止爪６のテーパー部６ａを押して脱落防止爪６を内側に引っ込め、脱落防止爪６の先端は、係止壁９の内側を下方に移動して、係止壁９を跨ぐようにして、ベルトフック１３が係止壁９に係止される。この状態となると、脱落防止爪６はベルトフック１３の押し付け力から解放され、その弾性によって元の位置に戻る。この位置では、図１４から分かるように、脱落防止爪６がベルトフックの上部の位置に臨出して、ベルトフックの上部を抑えるような位置をとり、ベルトフック１３が係止壁９から脱落することを防止できる。したがって、巻尺１２が巻尺携帯保持具１に保持された状態では、巻尺携帯保持具１が下向きの姿勢をとっても、巻尺１２が巻尺携帯保持具１から脱落することはなく、確実に装填される。
【００２５】
装填された巻尺１２を外すには、指先で脱落防止爪６を押し付けながら、巻尺１２を上方に移動させる。脱落防止爪６が押し付けられることによって、その先端部がベルトフック１３の上方の位置から待避して、ベルトフック１３の上方への移動を可能にして、巻尺１２を巻尺携帯保持具１から外すことができる。
【００２６】
本発明は、上述したような巻尺携帯保持具１を巻尺に取り付けたものを商品として展示用ケースに収納する。展示用ケースは、透光性を有する可撓性の樹脂シートを折り曲げて略筒体形状に形成されたものである。
【００２７】
図１〜図３は、本発明の巻尺の展示用ケースの実施の形態の一例を説明するためのもので、図１は樹脂シート展開図、図２は斜視図、図３は側面図である。図中、２０は樹脂シート、２１は展示用ケース、２２ａ，２２ｂは吊り下げ孔、２３ａ，２３ｂは舌片、２４は仕切り板である。
【００２８】
樹脂シート２０は、可撓性を有する透光性の材料、例えば、ポリプロピレン等の材料が用いられ用いられる。透光性は、無色・透明であることに限られるものではなく、着色されていても、透光性があって、内部が見えればよいものである。また、表面は、平坦であることに限られるものではなく、筋状の凸条や筋状の凹溝等によって、地模様を施してもよい。図１では、樹脂シート２０の折り曲げ線を点線で図示し、各部分に２０ａ〜２０ｇの符号を付した。２０ａは接合部である。２０ｂは巻尺部分が収納される空間部分の上部壁を形成する部分、２０ｃは巻尺部分が収納される空間部分の前壁を形成する部分、２０ｄは巻尺部分が収納される空間部分と巻尺携帯保持具部分を収納する空間部分との下部壁を形成する部分、２０ｅは巻尺携帯保持具部分を収納する空間部分の後壁を形成する部分、２０ｆは巻尺携帯保持具部分を収納する空間部分の上部壁を形成する部分、２０ｇは巻尺携帯保持具部分を収納する空間部分の前壁の上部と仕切り板とを形成する部分である。２０ｅと２０ｇの両部分には、吊り下げ孔２２ａ，２２ｂが設けられ、２０ｅの部分には、さらに、舌片２３ａ，２３ｂが切り込まれて形成されている。２０ｇの部分の両端は、展示用ケースを取扱う際に、指等を傷つけるおそれのないように、円弧状に切り落とされているが、両端を円弧状にすることは必ずしも必要ではない。
【００２９】
樹脂シート２０を折り曲げて、一端側の２０ａの部分を他端側の２０ｇの部分に接合する。この実施の形態では、２０ａの部分を２０ｇの部分の中間位置に接合した。２０ｇの部分の接合部分より下の部分が仕切り板２４となる。接合手段としては、接着剤を用いて接着する方法や、加熱により溶着する方法など適宜の方法で接合することができる。したがって、展示用ケース２１は、打ち抜き等によって全体を作製してもよいが、所定の寸法に切断した後、吊り下げ孔２２ａ，２２ｂと舌片２３ａ，２３ｂをパンチするようにしてもよい。
【００３０】
樹脂シート２０を折り曲げて、一端側の２０ａの部分を他端側の２０ｇの部分に接合して展示用ケース２１とした状態が図２，図３である。両側部が開放されているから、全体が筒体形状となっている。側面から見て中間部には、上方から仕切り板状２４が垂下されている。仕切り板２４の位置より前方の空間部分が巻尺部分を収納する空間部分であり、仕切り板２４の位置より後方の空間部分が巻尺携帯保持具部分を収納する空間部分であり、いずれも、側面と平行な断面が略長方形の形状である。巻尺携帯保持具部分を収納する空間部分の上部壁に対して、巻尺部分を収納する空間部分の上部壁は、段差をもって下がって位置されている。
【００３１】
展示用ケースに巻尺携帯保持具１に取り付けた巻尺１２を収納した状態を図４，図５で説明する。図４は斜視図、図５は側面図（巻尺携帯保持具は断面図で示す。）である。なお、図４において、巻尺１２と展示用ケース２１は細線で図示した。展示用ケース２１の左右の開口のいずれかから、巻尺携帯保持具付きの巻尺を挿入する。巻尺携帯保持具１と巻尺１２との間には仕切り板２４が入り込む。仕切り板２４を設けたことによって、巻尺収納後の展示用ケース２１の型くずれを抑えることができる。
【００３２】
このように、展示用ケース２１に巻尺携帯保持具付きの巻尺を収納した状態では、巻尺携帯保持具付きの巻尺の略外形に見合った寸法の展示用ケースを用いれば、展示用ケースの可撓性と弾性によって、巻尺携帯保持具付きの巻尺を展示用ケース２１に収納でき、展示用ケース２１から巻尺携帯保持具付きの巻尺を抜けにくくすることができる。図１で説明したように、舌片２３ａ，２３ｂを形成しておいて、図６に示すように、巻尺携帯保持具の両側の後部壁５に内側から舌片２３ａ，２３ｂで係止することにより、展示用ケース２１からの巻尺携帯保持具付きの巻尺の抜け落ちを、より確実に防止することができるが、展示用ケースの後壁に舌片を形成するように切れ込みを入れた構造が、安価に係止構造を実現できる利点がある。
【００３３】
この実施の形態では、巻尺携帯保持具の後部壁５（図１，図２参照）が両側に設けられているので、舌片２３ａ，２３ｂを後部壁を係止するようにした。しかしながら、展示用ケースに対して巻尺携帯保持具を係止する構造は、この実施の形態の構造に限られるものではなく、巻尺携帯保持具の構造に応じて、適宜の係止構造を採用できる。舌片等の係止構造を用いることなく、粘着テープ等によって巻尺携帯保持具または巻尺を展示ケースに固定するようにしてもよい。
【００３４】
また、展示用ケース２１の吊り下げ孔２２ａ，２２ｂは、巻尺携帯保持具１の小孔７（図１，図５）に合致する位置に形成されている。したがって、吊り下げ孔２２ａ，２２ｂと小孔７を展示台の吊り下げピンに挿通することによって、展示用ケース２１に収納された巻尺携帯保持具付きの巻尺を吊り下げて展示することができる。吊り下げピンとして、適当に長いピンを用いることによって、複数個を前後に並べて挿通させることで、効率よく多数個を展示できる。
【００３５】
展示用ケース２１に収納された巻尺携帯保持具付きの巻尺は、展示台の上に並べて展示することもできる。図１０，図１１に示すように、係止壁９を巻尺携帯保持具１の下部に設けることによって、図１４に示すように、巻尺の下面が巻尺携帯保持具１の底面に対して低くなるように取り付けられる。このように、巻尺携帯保持具１の底面よりも、巻尺１２の底面が下がって巻尺携帯保持具１に取り付けられた巻尺１２が収納されている状態は図５に示されているが、このような収納状態の巻尺を展示台の上に置いて並べると、図７に示すように、巻尺１２の自重で展示用ケース２１が曲げられて、巻尺１２が傾斜した状態となって自立する。したがって、購買者が商品を見易くできるという、良好な展示状態を実現できる。
【００３６】
図８，図９は、本発明の巻尺の展示用ケースの実施の形態の他の一例を説明するためのもので、図８は斜視図、図９は側面図である。図中、図１〜図３と同様の部分には同じ符号を付して説明を省略する。
【００３７】
この実施の形態においては、樹脂シートの一端側２０ａが下向きに曲げられて、他端側２０ｇの下方の部分に接合され、２０ａの部分と２０ｇの下方の部分とによって仕切り板２４が構成されている。仕切り板２４が２枚重ねとなり、仕切り板２４が強固となって巻尺と巻尺携帯保持具との間に挟まれることにより、展示用ケース２１の型くずれを防止できる。
【００３８】
上述した実施の形態では、展示用ケースは、１枚の樹脂シートで製作されているが、２枚以上の樹脂シートを接合したものでもよい。
【００３９】
【発明の効果】
以上の説明から明らかなように、本発明によれば、安価な展示用ケースを提供でき、巻尺携帯保持具に取り付けた状態の巻尺を簡単に収容でき、収容した状態においては、巻尺携帯保持具が付属していることが認識できるとともに、展示用ケースの側面が開放されているいることによって、フックに指をかけて測定テープを引き出すことができるので、測定テープの目盛の確認もできるという効果がある。
【図面の簡単な説明】
【図１】本発明の巻尺の展示用ケースの実施の形態の一例を説明するための樹脂シート展開図である。
【図２】本発明の巻尺の展示用ケースの実施の形態の一例の斜視図である。
【図３】図２の側面図である。
【図４】展示用ケースに巻尺携帯保持具に取り付けた巻尺を収納した状態の斜視図である。
【図５】図４の側面図である。
【図６】巻尺携帯保持具と舌片で係止した状態の説明図である。
【図７】展示用ケースに収納された巻尺携帯保持具付きの巻尺を展示台の上に並べて展示した傾斜立ちの状態の側面図である。
【図８】本発明の巻尺の展示用ケースの実施の形態の他の一例を説明するための斜視図である。
【図９】図８の側面図である。
【図１０】本発明の巻尺携帯保持具の実施の形態の一例の斜視図である。
【図１１】本発明の巻尺携帯保持具の実施の形態の一例の詳細図であり、図２（Ａ）は正面図、図２（Ｂ）は側面図、図２（Ｃ）は背面図、図２（Ｄ）は図２（Ａ）のＤ−Ｄ線断面図、図２（Ｅ）は上面図、図２（Ｆ）は図２（Ａ）のＦ−Ｆ線断面図である。
【図１２】ベルトフックが設けられた巻尺の斜視図である。
【図１３】図１０の巻尺携帯保持具に巻尺を取り付けた状態を示す斜視図である。
【図１４】図１３における巻尺の係止状態を説明するための断面図である。
【符号の説明】
１…巻尺携帯保持具、２…上部壁、３…下部壁、４…前部壁、５…後部壁、６…脱落防止爪、６ａ…テーパー部、７…小孔、８…案内壁、９…係止壁、１０…ベルト挿通孔、１１…作業ベルト、１２…巻尺、１３…ベルトフック、２０は樹脂シート、２１…展示用ケース、２２ａ，２２ｂ…吊り下げ孔、２３ａ，２３ｂ…舌片、２４仕切り板。
【図１】
2004236753.tif 000003
【図２】
2004236753.tif 000004
【図３】
2004236753.tif 000005
【図４】
2004236753.tif 000006
【図５】
2004236753.tif 000007
【図６】
2004236753.tif 000008
【図７】
2004236753.tif 000009
【図８】
2004236753.tif 000010
【図９】
2004236753.tif 000011
【図１０】
2004236753.tif 000012
【図１１】
2004236753.tif 000013
【図１２】
2004236753.tif 000014
【図１３】
2004236753.tif 000015
【図１４】
2004236753.tif 000016